(57)【要約】【課題】ワイパブレードに付着したインクによってワイパブレードの正常動作が阻害されるのを抑制することができるインクジェット記録装置を提供することを目的としている。【解決手段】ワイパホルダ４２の本体部４２１にはリブ７３が設けられているので、ワイパブレード４１に付着したインクがワイパブレード４１と筐体７２の一側面７２ａとの間に流入し、その流入したインクが筐体７２の一側面７２ａにも付着して、その影響でワイパブレード４１（ワイパホルダ４２）が筐体７２の一側面７２ａ側に転倒したとしても、リブ７３が筐体７２の一側面７２ａに衝突して、それ以上ワイパブレード４１（ワイパホルダ４２）が筐体７２の一側面７２ａ側に転倒するのが規制される。【選択図】図６
2009083212.tif 000002
【特許請求の範囲】
【請求項１】
インクを吐出する複数のノズルが形成されたノズル形成面を有し、そのノズル形成面と対向する位置に搬送される記録媒体に対して前記ノズルからインクを吐出して画像を記録する記録ヘッドと、その記録ヘッドのノズル形成面に向けて立設され、その先端部が前記ノズル形成面に当接して前記ノズル形成面を払拭するワイパ部材とを備えたインクジェット記録装置において、
前記ワイパ部材との間に所定間隔を空けつつ前記ワイパ部材と隣設され、前記ノズル形成面に向けて立設する壁部と、
その壁部と前記ワイパ部材との間に介在し、前記ワイパ部材に付着したインクによって前記ワイパ部材が前記壁部側に転倒するのを規制する規制部とを備えていることを特徴とするインクジェット記録装置。
【請求項２】
前記規制部は、前記ワイパ部材から前記壁部に向かって、または、前記壁部から前記ワイパ部材に向かって突出する突出部によって構成されていることを特徴とする請求項１に記載のインクジェット記録装置。
【請求項３】
前記ワイパ部材は、
弾性を有し、先端部が前記ノズル形成面に当接する板状のワイパブレードと、
そのワイパブレードよりも剛性を有し、前記ワイパブレードの先端部以外であって前記壁部と対向する前記ワイパブレードの側面部を覆いつつ、前記ワイパブレードを支持するワイパホルダとを備え、
前記ワイパ部材から前記壁部に向かって突出する突出部は、前記ワイパ部材のうち前記ワイパホルダから突出していることを特徴とする請求項２に記載のインクジェット記録装置。
【請求項４】
前記突出部は、前記ノズル形成面と交差する方向に沿って延びるリブによって構成されていることを特徴とする請求項２又は３に記載のインクジェット記録装置。
【請求項５】
前記リブは、互いに所定間隔を空けて並列に複数並んで構成されていることを特徴とする請求項４に記載のインクジェット記録装置。
【請求項６】
前記ノズル形成面に当接して前記ノズル形成面を含む密閉空間を形成するキャップ部材と、
そのキャップ部材の周囲を包囲する筐体とを備え、
前記ワイパ部材は、前記筐体の一部との間に所定間隔を空けつつ前記筐体の一部と隣設され、
前記壁部は、前記筐体の一部によって構成されていることを特徴とする請求項１から５のいずれかに記載のインクジェット記録装置。
【発明の詳細な説明】
【技術分野】
【０００１】
本発明は、インクジェット記録装置に関するものである。
【背景技術】
【０００２】
従来より、インクを吐出する複数のノズルが形成されたノズル形成面と対向する位置に搬送される記録媒体に対し、ノズルからインクを吐出して画像を記録する記録ヘッドと、その記録ヘッドのノズル形成面に当接し、ノズル形成面に付着したインクを払拭するワイパブレードとを搭載したインクジェット記録装置が知られている。
【０００３】
このインクジェット記録装置に関し、次の特許文献１には、記録ヘッド２４のノズル面に対して上下動するワイパーブレード１２４が、印字に寄与しない液滴を吐出する空吐出動作を行うための空吐出受け１２５との間に所定の隙間を空けて隣設されている画像形成装置が記載されている。
【特許文献１】特開２００５−３４９７８２号公報（段落第「００３２」、図３等）
【発明の開示】
【発明が解決しようとする課題】
【０００４】
しかしながら、上述した特許文献１に記載されている画像形成装置では、ワイパーブレード１２４が、空吐出受け１２５との間に所定の隙間を空けて隣設されているので、その隙間にワイパーブレード１２４に付着したインクが流入し、ワイパーブレード１２４の正常動作が阻害されるという問題点があった。
【０００５】
具体的には、ワイパーブレード１２４によってノズル形成面を払拭すると、ワイパーブレード１２４にはインクが付着する。そして、そのワイパーブレード１２４に付着したインクが、ワイパーブレード１２４と空吐出受け１２５との間の隙間に流入すると、インクがワイパーブレード１２４と空吐出受け１２５とに付着して、インクの粘性、表面張力等により、ワイパーブレード１２４が空吐出受け１２５側に転倒したり、円滑なワイパーブレード１２４の上下動作が阻害されたりすることがあった。
【０００６】
本発明は上述した問題点を解決するためになされたものであり、ワイパブレードに付着したインクによってワイパブレードの正常動作が阻害されるのを抑制することができるインクジェット記録装置を提供することを目的としている。
【課題を解決するための手段】
【０００７】
この目的を達成するために、請求項１記載のインクジェット記録装置は、インクを吐出する複数のノズルが形成されたノズル形成面を有し、そのノズル形成面と対向する位置に搬送される記録媒体に対して前記ノズルからインクを吐出して画像を記録する記録ヘッドと、その記録ヘッドのノズル形成面に向けて立設され、その先端部が前記ノズル形成面に当接して前記ノズル形成面を払拭するワイパ部材とを備えたものであって、前記ワイパ部材との間に所定間隔を空けつつ前記ワイパ部材と隣設され、前記ノズル形成面に向けて立設する壁部と、その壁部と前記ワイパ部材との間に介在し、前記ワイパ部材に付着したインクによって前記ワイパ部材が前記壁部側に転倒するのを規制する規制部とを備えている。
【０００８】
請求項２記載のインクジェット記録装置は、請求項１に記載のインクジェット記録装置において、前記規制部は、前記ワイパ部材から前記壁部に向かって、または、前記壁部から前記ワイパ部材に向かって突出する突出部によって構成されている。
【０００９】
請求項３記載のインクジェット記録装置は、請求項２に記載のインクジェット記録装置において、前記ワイパ部材は、弾性を有し、先端部が前記ノズル形成面に当接する板状のワイパブレードと、そのワイパブレードよりも剛性を有し、前記ワイパブレードの先端部以外であって前記壁部と対向する前記ワイパブレードの側面部を覆いつつ、前記ワイパブレードを支持するワイパホルダとを備え、前記ワイパ部材から前記壁部に向かって突出する突出部は、前記ワイパ部材のうち前記ワイパホルダから突出している。
【００１０】
請求項４記載のインクジェット記録装置は、請求項２又は３に記載のインクジェット記録装置において、前記突出部は、前記ノズル形成面と交差する方向に沿って延びるリブによって構成されている。
【００１１】
請求項５記載のインクジェット記録装置は、請求項４に記載のインクジェット記録装置において、前記リブは、互いに所定間隔を空けて並列に複数並んで構成されている。
【００１２】
請求項６記載のインクジェット記録装置は、請求項１から５のいずれかに記載のインクジェット記録装置において、前記ノズル形成面に当接して前記ノズル形成面を含む密閉空間を形成するキャップ部材と、そのキャップ部材の周囲を包囲する筐体とを備え、前記ワイパ部材は、前記筐体の一部との間に所定間隔を空けつつ前記筐体の一部と隣設され、前記壁部は、前記筐体の一部によって構成されている。
【発明の効果】
【００１３】
請求項１記載のインクジェット記録装置によれば、ワイパ部材によって記録ヘッドのノズル形成面を払拭すると、ワイパ部材にはインクが付着し、そのワイパ部材に付着したインクが、ワイパ部材と、そのワイパ部材と隣設してノズル形成面に向けて立設する壁部との間に形成されている所定間隔の間に流入し、そのインクがワイパ部材と壁部との両方に付着する。しかし、かかる所定間隔の間には規制部が介在しており、インクがワイパ部材と壁部との両方に付着したとしても、ワイパ部材が壁部側に転倒するのが規制されている。よって、ワイパ部材に付着したインクによってワイパ部材の正常動作が阻害されるのを抑制することができるという効果がある。
【００１４】
請求項２記載のインクジェット記録装置によれば、請求項１に記載のインクジェット記録装置の奏する効果に加え、ワイパ部材と壁部との間に流入したインクがワイパ部材と壁部との両方に付着し、ワイパ部材が壁部側に転倒しようとしても、ワイパ部材から壁部に向かって突出する突出部が壁部に接触し、または、壁部からワイパ部材に向かって突出する突出部がワイパ部材に接触するので、ワイパ部材が壁部側に転倒するのを簡単な構成で規制することができるという効果がある。
【００１５】
請求項３記載のインクジェット記録装置によれば、請求項２に記載のインクジェット記録装置の奏する効果に加え、ワイパブレードは、その先端部以外であって壁部と対向する側面部がワイパブレードよりも剛性を有するワイパホルダによって覆われ、支持されているので、ワイパ部材が壁部側に転倒するのをワイパホルダによって一層確実に規制することができるという効果がある。
【００１６】
請求項４記載のインクジェット記録装置によれば、請求項２又は３に記載のインクジェット記録装置の奏する効果に加え、突出部はノズル形成面と交差する方向に沿って延びるリブによって構成されているので、ワイパ部材が全体的に壁部側に転倒するのを規制することができるという効果がある。
【００１７】
請求項５記載のインクジェット記録装置によれば、請求項４に記載のインクジェット記録装置の奏する効果に加え、リブは、互いに所定間隔を空けて並列に複数並んで構成されているので、隣合うリブ間に形成される隙間による毛細管作用によってワイパ部材に付着したインクを吸引、保持することができるという効果がある。
【００１８】
請求項６記載のインクジェット記録装置によれば、請求項１から５のいずれかに記載のインクジェット記録装置の奏する効果に加え、壁部は、ノズル形成面に当接してノズル形成面を含む密閉空間を形成するキャップ部材の周囲を包囲する筐体の一部によって構成されており、ワイパ部材は、その筐体の一部との間に所定間隔を空けつつ筐体の一部と隣設されているので、キャップ部材に対して、ワイパ部材を、コンパクトに配置することができるという効果がある。
【発明を実施するための最良の形態】
【００１９】
図１は、本発明のインクジェット記録装置の一実施形態に係る複合機１０の外観斜視図である。尚、本発明の記録ヘッドの一実施形態に係る記録ヘッド３９（図２参照）は、この複合機１０に搭載されている。
【００２０】
この複合機１０は、下部にプリンタ部１１を、上部にスキャナ部１２を一体的に備えた多機能装置（ＭＦＤ：Multi  Function  Device）であり、プリンタ機能、スキャナ機能、コピー機能、ファクシミリ機能を有する。この複合機１０のうちプリンタ部１１が本発明に係るインクジェット記録装置に相当する。この複合機１０において、プリンタ機能以外の機能は、任意のものであって省略されていてもよい。すなわち、本発明は、スキャナ部１２がなく、スキャナ機能やコピー機能を有しない単機能のプリンタとして実施されてもよい。
【００２１】
複合機１０は、主に図示されていないパーソナルコンピュータと接続され、このパーソナルコンピュータから送信される画像データや文書データを含む印刷データに基づいて、記録媒体の一例である記録用紙に画像や文書が記録される。ただし、複合機１０の使用態様はかかる態様に限定されるものではなく、複合機１０がデジタルカメラ等の外部機器と接続され、デジタルカメラから出力される画像データが記録用紙に記録されたり、メモリカード等の各種記憶媒体が複合機１０に装填され、この記憶媒体に記憶された画像データ等が記録用紙に記録されることも可能である。なお、本明細書において開示される複合機１０の構成は、本発明に係るインクジェット記録装置の一例であり、本発明の要旨を変更しない範囲で構成が適宜変更され得るものであることは当然である。
【００２２】
プリンタ部１１は、正面に開口１３が形成されており、この開口１３から一部が露呈するようにして給紙トレイ１４及び排紙トレイ１５が上下２段に設けられている。給紙トレイ１４は、記録用紙を貯蔵するためのものである。この給紙トレイ１４に収容された記録用紙は、プリンタ部１１の内部へ給送され、所望の画像が記録された後に排紙トレイ１５へ排出されるようになっている。
【００２３】
複合機１０の正面上部に操作パネル２０が設けられている。この操作パネル２０は、プリンタ部１１やスキャナ部１２を操作するための各種操作ボタンや液晶表示部を備えている。複合機１０は、この操作パネル２０からの操作指示に基づいて動作する。また、複合機１０がパーソナルコンピュータに接続されている場合には、当該複合機１０は、パーソナルコンピュータからプリンタドライバ又はスキャナドライバを介して送信される指示に基づいても動作する。
【００２４】
さらに、複合機１０の正面にスロット部２１が設けられている。記憶媒体である各種小型メモリカードは、このスロット部２１に装填されるようになっている。操作パネル２０からの入力に基づいて、スロット部２１に装填された小型メモリカードに記録された画像データが読み出され、この画像データに関する情報が液晶表示部に表示され、あるいは、任意の画像がプリンタ部１１により記録用紙に記録される。
【００２５】
図２は、プリンタ部１１の主要な構成を示す斜視図である。プリンタ部１１には、主に、給紙トレイ１４と、給紙トレイ１４の上方に設置されている給紙ローラ２５と、給紙トレイ１４の奥方から立設し、給紙ローラ２５から給紙される記録用紙を搬送する搬送経路を形成する搬送ガイド体５０と、搬送ガイド体５０の下流側であって、搬送ローラ６０と排紙ローラ６２との間に往復移動可能に設置されている記録ヘッド３９と、記録ヘッド３９のインク吐出面と対向配置されているプラテン３７と、プラテン３７と隣接する位置であってキャリッジ３８の走査範囲内に設置されているメンテナンスユニット４８とが設けられている。
【００２６】
給紙トレイ１４は、上面が開放された略箱状に形成されており、その内部に記録用紙が積載収納される。また、給紙トレイ１４の側壁には、排紙トレイ１５（図１参照）を支持する支持部１４ａが形成されており、排紙トレイ１５は、支持部１４ａ上にスライド可能に支持されている。
【００２７】
給紙ローラ２５は、給紙トレイ１４に積載されている記録用紙に当接した状態で回転し、記録用紙を搬送ガイド体５０に形成されている搬送経路を経由して搬送ローラ６０に給紙する。給紙ローラ２５はアーム５１の一端に回転可能に軸支されている。アーム５１は、シャフト５２に対して振り子状に回動可能に支持されており、給紙トレイ１４に積載されている記録用紙の積載量に応じて、アーム５１と記録用紙とのなす角度が変わるように構成されている。また、アーム５１の内部には、図示しない複数個の歯車が直線状に並べて設置されており、この歯車を介して給紙ローラ２５が回転する。
【００２８】
搬送ガイド体５０は、給紙ローラ２５から給紙された記録用紙を搬送ローラ６０までＵ字状に搬送する搬送経路を形成するものである。搬送ローラ６０には、搬送ローラ６０に追従して回転する従動ローラ（図示せず）が対向配置されており、搬送経路を経由して搬送された記録用紙は、この搬送ローラ６０と従動ローラとに挟持され、記録ヘッド３９とプラテン３７との間に搬送される。
【００２９】
記録ヘッド３９は、プラテン３７と対向する面に、インクを吐出するノズルが形成されたノズル形成面を有し、そのノズルからプラテン３７に支持されてノズル形成面と対向する位置に搬送される記録媒体に対してインク滴を吐出して画像を形成するものである。尚、記録ヘッド３９には、複合機１０に着脱自在に設置されるインクカートリッジ（図示せず）からシアン（Ｃ）・マゼンタ（Ｍ）・イエロー（Ｙ）・ブラック（Ｂｋ）の各色のインクが供給される。
【００３０】
また、記録ヘッド３９は、キャリッジ３８に搭載され、主走査方向に往復移動可能に構成されている。キャリッジ３８は、プラテン３７に対向する領域と、メンテナンスユニット４８に対向する領域との範囲に亘って往復移動可能に構成されており、プラテン３７と対向する領域で記録ヘッド３９から記録媒体に対してインク滴を吐出して記録を実行し、メンテナンスユニット４８と対向する領域で記録ヘッド３９のメンテナンスを実行する。
【００３１】
プラテン３７は、記録ヘッド３９の下方に対向配置されており、搬送ローラ６０から搬送される記録用紙を記録ヘッド３９とは反対側から支持する。インクが供給された記録ヘッド３９は、往復移動しながらインクを微小なインク滴としてプラテン３７側に吐出し、プラテン３７上に搬送される記録用紙に対して画像を形成する。
【００３２】
プラテン３７を搬送ローラ６０との間に挟んで設置されている排紙ローラ６２には、排紙ローラ６２に追従して回転する従動ローラ（図示せず）が対向配置されており、記録ヘッド３９とプラテン３７との間を経由して搬送される記録済みの記録用紙は、この排紙ローラ６０と従動ローラとに挟持され、排紙トレイ１５（図１参照）に排紙される。
【００３３】
メンテナンスユニット４８は、記録ヘッド３９のノズル形成面に付着したインクを弾性を有するワイパブレードで払拭するワイプ処理を実行するワイプ機構、記録ヘッド３９のノズル形成面を密封した状態でノズル形成面に形成されているノズルからインクを吸引するパージ処理を実行するパージ機構等が設けられており、このメンテナンスユニット４８により、記録ヘッド３９内の気泡や混色インクの除去等のメンテナンスが行われる。
【００３４】
また、メンテナンスユニット４８にはキャリッジレバー２７が設けられており、キャリッジ３８がメンテナンスユニット４８と対向する位置に移動すると、このキャリッジレバー２７が押し倒され、図示しないＬＦモータの動力がメンテナンスユニット４８に伝達される。
【００３５】
次に、図３（ａ）を参照して、メンテナンスユニット４８について説明する。図３（ａ）は、メンテナンスユニット４８を示す斜視図である。図３（ａ）に示すように、メンテナンスユニット４８には、主に、排気キャップ７０と、その排気キャップ７０に隣設するパージキャップ７１と、そのパージキャップ７１と排気キャップ７０との周囲を包囲する筐体７２と、ワイプ機構４０とが設けられている。尚、図３（ａ）では、ワイプ機構４０に含まれる図３（ｂ）に示すワイパブレード４１と、そのワイパブレード４１を保持するワイパホルダ４２とを、メンテナンスユニット４８から分離した状態を示している。
【００３６】
排気キャップ７０は、記録ヘッド３９に搭載されている排気バルブ（図示せず）と連結して、その排気バルブから記録ヘッド３９に貯留されている空気を排気するものである。排気キャップ７０にはシアン、マゼンタ、イエロー、ブラックの各色に応じて４つの連結口３９ａ，３９ｂ，３９ｃ，３９ｄが設けられている。この各連結口３９ａ，３９ｂ，３９ｃ，３９ｄが、排気バルブに設けられている４つの接続口に連結されると、排気バルブが開放され、記録ヘッド３９に貯留されている空気が排気される。
【００３７】
パージキャップ７１は、パージ処理を実行する場合に、記録ヘッド３９のノズル形成面に当接してノズル形成面を含む密閉空間を形成するように、ノズル形成面と対向する面が開放された略箱状に構成されている。パージキャップ７１の上端縁部がノズル形成面に当接し、ノズル形成面を含む密閉空間が形成され、図示しないポンプを駆動すると、ノズルから気泡、埃、塵、インク塊等がインクと一緒にパージキャップ７１の内部に排出される。よって、ノズルを閉塞する気泡、埃、塵、インク塊等がインクと一緒に排出され、インクの吐出性能を回復させることができる。
【００３８】
筐体７２の一側面７２ａ（パージキャップ７１を排気キャップ７０との間に挟んで立設する筐体７２の外面）には、その中央部を避けた左右の下方に設けられ、筐体７２の一側面７２ａを囲むように平面視コの字状に形成されたガイド壁７４，７５が設けられている。このガイド壁７４，７５のうち、互いに最も離れた両サイドの側壁７４ａ，７５ａは、他の部分よりも上方にまで延びて構成されている。
【００３９】
そして、実際には、このガイド壁７４，７５と筐体７２の一側面７２ａとによって囲まれて形成される空間と、各ガイド壁７４，７５に挟まれて形成される空間とに、後述するワイパホルダ４２（ワイパブレード４１）が装着されており（図５参照）、装着されたワイパホルダ４２（ワイパブレード４１）は、このガイド壁７４，７５に沿って昇降する。
【００４０】
次に、図３（ｂ）、図４、図５を参照して、上述したメンテナンスユニット４８に含まれるワイプ機構４０について説明する。図３（ｂ）は、ワイプ機構４０に含まれるワイパブレード４１と、ワイパホルダ４２とを示す拡大斜視図である。尚、図３（ｂ）では、筐体７２の一側面７２ａと対向する面から見た斜視図を示している。
【００４１】
図４は、メンテナンスユニット４８の概略側面図であり、筐体７２については模式的に図示している。また、図４（ａ）はワイパブレード４１がノズル形成面に当接している状態、図４（ｂ）はワイパブレード４１がノズル形成面から離間している状態を示している。図５は、メンテナンスユニット４８を底面側から見た斜視図である。
【００４２】
図４に示すように、ワイプ機構４０には、弾性を有する板状のワイパブレード４１と、そのワイパブレード４１の一端を保持するワイパホルダ４２と、そのワイパホルダ４２の他端側を保持する回転体４３とが設けられている。
【００４３】
ワイパブレード４１は、回転体４３から記録ヘッド３９のノズル形成面に対して出没可能に設けられているゴム製のブレードである。ワイパブレード４１が、回転体４３側から突出して、その先端部分が記録ヘッド３９のノズル形成面に当接し、その状態で記録ヘッド３９がキャリッジ３８と共にスライド移動すると、ノズル形成面に付着したインクがワイパブレード４１によって払拭される。
【００４４】
ワイパホルダ４２は、図３（ｂ）に示すように、ワイパブレード４１よりも剛性を有し、板状に形成され、ワイパブレード４１を支持する本体部４２１と、その本体部４２１の中央部から下方に延びる脚部４２２と、本体部４２１の側方からフック状に延びる腕部４２３と、本体部４２１との間にワイパブレード４１を挟んでワイパブレード４１を支持する支持壁４２４（図５参照）とによって構成されている。
【００４５】
本体部４２１は、筐体７２の一側面７２ａと対向する面の反対側の面においてワイパブレード４１の先端部を突出させつつ、支持壁４２４（図５参照）との間にワイパブレード４１を支持している。
【００４６】
また、本体部４２１のうち、筐体７２の一側面７２ａと対向する面には、ノズル形成面と直交する方向（上下方向）に沿って延びるリブ７３が突設されている。リブ７３は、ワイパブレード４１が、筐体７２の一側面７２ａ側に転倒するもの規制するためのものであり、複数本のリブ７３が並列に突設されている。
【００４７】
尚、本実施形態では、並列に９本のリブ７３が設けられているが、このリブ７３の本数は９本に限らず、１本以上であれば何本あっても良い。特に、密にリブ７３を設けた場合には、隣り合うリブ７３の間に形成される空間によってワイパブレード４１に付着して、ワイパホルダと筐体７２の一側面７２ａとの間に流入するインクを毛管作用によって吸引することができるようになる。
【００４８】
脚部４２２は、その一端が後述する回転体４３に形成されているに環状のカム溝上に位置するように設置されている。そして、カム溝の回転に伴って記録ヘッド３９のノズル形成面に対して出没する。このワイパホルダ４２の脚部４２２が回転体４３からノズル形成面側に突出することで、ワイパホルダ４２に支持されているワイパブレード４１がノズル形成面に当接し、逆に、回転体４３側に没することでワイパブレード４１がノズル形成面から離間する。
【００４９】
このように構成されているワイパホルダ４２（ワイパブレード４１）は、図５に示すように、脚部４２２を挟む本体部４２１の各端部が、筐体の一側面７２ａと各ガイド壁７４，７５とによって囲まれる空間に配置され、脚部４２２が各ガイド壁７４，７５によって挟まれて形成される空間を通過して回転体４３まで延び、本体部４２１の両縁部が、各ガイド壁７４，７５の側壁７４ａ，７５ａに挟まれるように設置される。また、ワイパホルダ４２の腕部４２３は、ガイド壁７４の側壁７４ａの上端部と係合し、ワイパホルダ４２が左右にズレるのが防止されている。
【００５０】
回転体４３は、図４に示すように、ワイパホルダ４２（ワイパブレード４１）を記録ヘッド３９のノズル形成面に対して出没させるためのものであり、記録ヘッド３９のノズル形成面との間にワイパホルダ４２とワイパブレード４１とを挟む位置に回転可能に設置されている。
【００５１】
回転体４３には、環状のカム溝が形成されており、このカム溝には、所定範囲に亘って溝の深さが第１深さである第１溝部と、溝の深さが第１深さよりも深い第２深さである第２溝部を有し、第１溝部の両端と連続するように形成される第２溝部とが形成されている。
【００５２】
よって、ワイパホルダ４２の脚部４２２が第１溝部上に位置している場合には、ワイパホルダ４２が回転体４３からノズル形成面側に突出して、ワイパブレード４１がノズル形成面に当接する。一方、ワイパホルダ４２の脚部４２２が第２溝部上に位置している場合には、ワイパホルダ４２が回転体４３側に没して、ワイパブレード４１がノズル形成面から離間する。尚、ワイパホルダ４２は図示しないコイルバネによって回転体４３側に付勢されており、カム溝に従って出没し易くなるように構成されている。
【００５３】
次に、この回転体４３を回転させる動力伝達機構について説明する。図５に示すように、回転体４３を回転させる動力伝達機構には、リンクバー４６と、そのリングバー４６の他端側と連結されているギヤ４７とが設けられている。
【００５４】
この動力伝達機構によれば、キャリッジ３８がメンテナンスユニット４８と対向する位置に移動し、キャリッジレバー２７が押し倒されている状態で、動力源としてのＬＦモータを所定方向に駆動すると、その回転力が、図示しないギヤ機構を介してリンクバー４６が図５において時計回りに回転し、ギヤ４７がパージ処理を実行する場合に使用するポンプを駆動するためのギヤ４９と噛合する。
【００５５】
一方、動力源としてのＬＦモータ７１を上述したのとは逆回転すると、リンクバー４６が図５において反時計回りに回転し、ギヤ４７が回転体４３の底面に形成されているギヤ４３ｂと噛合し、回転体４３が回転駆動する。そして、この回転体４３が回転駆動すると、上述したように、回転体４３に形成されているカム溝に追従してワイパホルダ４２（ワイパブレード４１）が記録ヘッド３９のノズル形成面に対して出没する。
【００５６】
次に、図６を参照して、上述したように構成されたワイプ機構４０を使用してワイプ処理を実行する場合について説明する。図６（ａ１）乃至（ａ３）は、ワイプ処理における記録ヘッド３９とワイプ機構４０との関係を時系列順に並べて示す概略側面図である。尚、図６（ａ１）乃至（ａ３）では、記録ヘッド３９に対してワイパブレード４１を相対的に移動させた状態を示している。
【００５７】
ワイプ処理では、まず、記録ヘッド３９をワイプ処理の実行開始位置に移動する。そして、ワイパブレード４１が記録ヘッド３９のノズル形成面に当接するようにＬＦモータを駆動する。即ち、ワイパホルダ４２の脚部４２２がカム溝の第１溝部上に位置するように、ＬＦモータ７１を駆動して回転体４３を回転させ、ワイパブレード４１を記録ヘッド３９のノズル形成面に当接させる。
【００５８】
そして、図６（ａ１）に示すように、ワイパブレード４１を記録ヘッド３９に対して所定速度で相対移動させる。すると、ワイパブレード４１は、記録ヘッド３９のノズル形成面を払拭しながら移動することになる。そして、そのまま、ワイパブレード４１を記録ヘッド３９に対して所定速度で相対移動させると、図６（ａ２）に示すように、ワイパブレード４１はノズル形成面から引き離される。この際、ワイパブレード４１には、ノズル形成面を払拭した結果、インクが付着している状態となっている。
【００５９】
そして、ワイパブレード４１がノズル形成面から引き離されると、ワイパホルダ４２の脚部４２２がカム溝４３ａの第２溝部上に位置することになり、ワイパブレード４１が記録ヘッド３９のノズル形成面から離間する方向に移動する。
【００６０】
この場合、ワイパブレード４１（ワイパホルダ４２）と筐体７２の一側面７２ａとの間の隙間には、ワイパブレード４１に付着したインクが流入し、そのインクが筐体７２の一側面７２ａにも付着する可能性がある。
【００６１】
ここで、ワイパブレード４１に付着したインクが筐体７２の一側面７２ａにも付着した場合について、図６（ｂ）を参照して説明する。図６（ｂ）は、図６（ａ３）に対応する図であって、記録ヘッド３９と従来のワイプ機構１００との関係を示す概略側面図である。尚、本実施形態と同一の構成については、同一の符合を付し、その説明は省略する。
【００６２】
図６（ｂ）に示すように、従来のワイパホルダ１０１には、本実施形態におけワイパホルダ４２の本体部４２１に設けられているリブ７３が設けられていなかったので、ワイパブレード４１に付着したインクが筐体７２の一側面７２ａにも付着すると、インクの粘性、表面張力等により、ワイパブレード４１が筐体７２の一側面７２ａ側に転倒したり、円滑なワイパブレード４１の昇降動作が阻害されたりすることがあった。
【００６３】
一方、本実施形態のワイパホルダ４２には、ワイパホルダ４２の本体部４２１にはリブ７３が設けられているので、たとえ、ワイパブレード４１に付着したインクが筐体７２の一側面７２ａにも付着し、その影響でワイパブレード４１（ワイパホルダ４２）が筐体７２の一側面７２ａ側に転倒したとしても、リブ７３が筐体７２の一側面７２ａに衝突して、それ以上ワイパブレード４１（ワイパホルダ４２）が筐体７２の一側面７２ａ側に転倒するのが規制される。よって、ワイパブレード４１に付着したインクによってワイパブレード４１の正常動作が阻害されるのを抑制することができる。
【００６４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６５】
上述した実施形態では、ワイパホルダ４２の本体部４２１にリブ７３を設ける場合について説明したが、このリブ７３を、ワイパホルダ４２の本体部４２１ではなく、図７（ａ）に示すように、ワイパホルダ４２の本体部４２１と対向する筐体７２の一側面７２ａに設けるように構成しても良い。かかる場合にも、上述した実施形態と同様な効果を奏することができる上、ワイパホルダ４２の本体部４２１にリブ７３を設ける場合に比べ、ワイパホルダ４２を軽量化することができ、ワイパホルダ４２を昇降させるための駆動源の負荷を軽減することができる。また、当然に、ワイパホルダ４２の本体部４２１と筐体７２の一側面７２ａとの両方にリブ７３を設けるように構成しても良い。
【００６６】
また、上述した実施形態では、リブ７３がノズル形成面と直交する方向（上下方向）に沿って延びるように形成する場合について説明したが、このリブ７３が延びる方向としては、かかる方向に限定されるものではなく、ノズル形成面と平行に、又は、ノズル形成面と斜めに交差する方向に延びるように形成しても良く、升目状、網目状、皺状、波状に形成しても良い。
【００６７】
更に、リブ７３に代えて、図７（ｂ）に示すように、本体部４２１が突出する突起７３１を設けるように構成しても良い。図７（ｂ）では、突起７３１を同一直線状に略等間隔で３つ設けた場合を図示しているが、この突起７３１の数、位置は、図７（ｂ）に示すものに限定されるものではなく、更に、リブ７３と同様に、ワイパホルダ４２の本体部４２１と対向する筐体７２の一側面７２ａに突起７３１を設けるように構成しても良いことは言うまでもない。
【図面の簡単な説明】
【００６８】
【図１】本発明の一実施形態に係る複合機の外観斜視図である。
【図２】プリンタ部の主要な構成を示す斜視図である。
【図３】（ａ）はメンテナンスユニットを示す斜視図である。（ｂ）はワイパブレード４１と、ワイパホルダとを示す拡大斜視図である。
【図４】（ａ）はワイパブレードがノズル形成面に当接している状態、図４（ｂ）はワイパブレードがノズル形成面から離間している状態を示すメンテナンスユニットの概略側面図である。
【図５】メンテナンスユニットを下方から見た斜視図である。
【図６】（ａ１）乃至（ａ３）は、ワイプ処理における記録ヘッドとワイプ機構との関係を時系列順に並べて示すメンテナンスユニットの概略側面図である。（ｂ）は、（ａ３）に対応する図であって、記録ヘッドと従来のワイプ機構との関係を示すメンテナンスユニットの概略側面図である。
【図７】（ａ）は、メンテナンスユニットを示す斜視図である。（ｂ）はワイパブレードと、ワイパホルダとを示す拡大斜視図である。
【符号の説明】
【００６９】
１０                複合機（インクジェット記録装置）
３９                記録ヘッド
４１                ワイパブレード（ワイパ部材の一部）
４２                ワイパホルダ（ワイパ部材の一部）
７１                パージキャップ（キャップ部材）
７２                筐体（壁部の一部）
７２ａ              筐体の一側面（壁部）
７３                リブ（規制部、突出部）
７３１              突起（規制部、突出部）
【図１】
2009083212.tif 000003
【図２】
2009083212.tif 000004
【図３】
2009083212.tif 000005
【図４】
2009083212.tif 000006
【図５】
2009083212.tif 000007
【図６】
2009083212.tif 000008
【図７】
2009083212.tif 000009